(57)【要約】  輸送コンテナ組立構造のための高さ調整可能な柱１００。高さ調整可能な柱は、上側スリーブ部１０５、中央スリーブ部１０４、および下側スリーブ１０１を有する。中央スリーブ部１０４は効果的なスライドであり、下側および上側スリーブ部１０１、１０５内に置かれる。上側スリーブ部１０５は、スライドして下側スリーブ部１０１内に置くことができ、柱が非伸長位置にあるとき、中央スリーブ部１０４は、下側および上側スリーブ部１０１、１０５の中で完全にスライドして、上側スリーブ部１０５の実質的な長さは、下側スリーブ部１０１の中でスライドし、その結果、中央スリーブ部１０４のＩＳＯ開口１０３１は、下側スリーブ部１０１のＩＳＯ開口１０１１と並んで重なり、中央スリーブ部１０４の上側ＩＳＯ開口１０４１は、上側スリーブ部１０１のＩＳＯ開口１０７１と並んで重なり、それによって、柱１００の高さは標準的な輸送コンテナのその高さと比較して低い。柱１００が伸長位置にあるとき、中央スリーブ部１０４のロック手段１０４４は、支持部については、下側および上側スリーブ部１０１、１０５の対応する長開口１０２５、１０５５と係合およびロックし、標準的な輸送コンテナの高さと同じまたはより高い位置で柱１００を保持する。【選択図】図５
2015511910.tif 000002
【特許請求の範囲】
【請求項１】
輸送コンテナ組立構造のための高さ調整可能な柱において、
前記柱は少なくとも２つの協働する部分を有し、そこにおいて、前記柱の第１の部分は、前記柱の第２の部分の上にはまり込み、両方の部分はコンテナ取扱装置により係合可能な係合機構を有して、前記柱がはめ込まれた形態から伸長位置まで伸長でき、
前記はめ込まれた形態のとき、前記第２の部分の実質的な長さは前記第１の部分の中にあり、前記伸長位置にあるとき、前記第２の部分の実質的な長さは前記第１の部分から外方に伸長し、
前記柱が前記伸長位置にあるとき、前記第１の部分の前記係合機構は、組立構造の床面を係合および支持するように適合され、前記柱が前記伸長位置にあるとき、前記第２の部分の前記係合機構は、組立構造の屋根または上階のいずれかを係合および支持するように適合され、
前記はめ込まれた形態のとき、前記柱は、一端で前記輸送コンテナの底面に、および、他端で前記輸送コンテナの上面に固定されるように適合され、
前記柱が非伸長位置にあるとき、前記柱の高さは標準的な輸送コンテナのその高さと比較して低く、前記伸長位置にあるとき、前記柱は標準的な輸送コンテナの高さと同じまたはより高い、
ことを特徴とする高さ調整可能な柱。
【請求項２】
輸送コンテナ組立構造のための高さ調整可能な柱において、
前記柱は、
（ｉ）コンテナ取扱装置により係合可能な係合機構を有する上部、および、対応するスリーブ上のロック手段と係合するように適合される長開口を有する下部を有する上側スリーブ部と、
（ｉｉ）コンテナ取扱装置により係合可能な係合機構およびロック手段を有する上部、ならびに、コンテナ取扱装置により係合可能な係合機構およびロック用移動止めを有する下部を有する中央スリーブ部と、
（ｉｉｉ）対応するスリーブ上のロック手段と係合するように適合される長開口を有する上部、および、コンテナ取扱装置により係合可能な係合機構を有する下部を有する下側スリーブ部と、
（ｉｖ）前記上側スリーブ部の最上部および前記下側スリーブ部の下部に位置し、前記上側および下側スリーブ部のそれぞれの前記係合機構を収容するリフティングポイントと、
（ｖ）前記柱が伸長位置にあるとき、所定の位置に組立構造の構成要素を係合および保持する係合手段と、
を有し、
前記中央スリーブ部は、スライドして前記下側および上側スリーブ部に対して中に置かれるように適合され、前記上側スリーブ部は、スライドして前記下側スリーブ部に対して中に置かれるように適合され、
そのため、前記柱が非伸長位置にあるとき、前記中央スリーブ部は前記下側および上側スリーブ部の中で完全にスライドして、前記上側スリーブ部の実質的な長さは前記下側スリーブの中でスライドし、
その結果、前記中央スリーブ部の前記下側係合機構は前記下側スリーブ部の前記係合機構と並んで重なり、前記中央スリーブ部の前記上側係合機構は前記上側スリーブ部の前記係合機構と並んで重なり、
前記柱の高さは標準的な輸送コンテナのその高さと比較して低く、
前記柱が前記伸長位置にあるとき、前記中央部の前記ロック手段は、支持については、前記下側および上側スリーブ部の対応する前記長開口と係合およびロックし、標準的な輸送コンテナの高さと同じまたはより高い位置で前記柱を保持する、
ことを特徴とする高さ調整可能な柱。
【請求項３】
請求項２に記載の高さ調整可能な柱において、前記ロック手段はばね付勢の移動止めであることを特徴とする高さ調整可能な柱。
【請求項４】
請求項２に記載の高さ調整可能な柱において、前記係合機構は、前記柱を非伸長状態から伸長起立状態まで上昇させるために、前記コンテナ取扱装置を受容および係合するよう適合される開口であることを特徴とする高さ調整可能な柱。
【請求項５】
請求項４に記載の高さ調整可能な柱において、前記開口はＩＳＯ規格コンテナ接続点であることを特徴とする高さ調整可能な柱。
【請求項６】
請求項２乃至５の何れか１項に記載の高さ調整可能な柱において、前記係合手段は、その中に壁パネル、窓枠、または戸枠の、端部または端部の一部を受容および保持することが可能なスロット、チャネル、または溝を含むことを特徴とする高さ調整可能な柱。
【請求項７】
請求項２乃至５の何れか１項に記載の高さ調整可能な柱において、前記係合手段は、その上に屋根部、床面、窓枠、または戸枠の、端部または端部の一部を受容および保持することが可能な突出手段を含むことを特徴とする高さ調整可能な柱。
【請求項８】
請求項２乃至５の何れか１項に記載の高さ調整可能な柱において、前記係合手段は、その上に屋根部、床面、壁パネル、窓枠、または戸枠の、端部または端部の一部を受容および保持することが可能なブラケットまたはフランジを含むことを特徴とする高さ調整可能な柱。
【請求項９】
請求項２乃至８の何れか１項に記載の高さ調整可能な柱において、拡張形態において、前記柱が垂直荷重を支持することが可能なままであることを特徴とする高さ調整可能な柱。
【請求項１０】
請求項１乃至９の何れか１項に記載の高さ調整可能な柱において、前記柱は中空であることを特徴とする高さ調整可能な柱。
【請求項１１】
請求項１０に記載の高さ調整可能な柱において、前記柱が前記伸長位置にあるとき、組立構造と関連する荷重を支持して、耐えることができる強固で、堅固で、耐久性のある柱を提供するために、前記中空の柱の内部空間は注入しうる硬化性材料をその中に受容することが可能であることを特徴とする高さ調整可能な柱。
【請求項１２】
請求項１１に記載の高さ調整可能な柱において、前記柱は、前記硬化性材料の補強材として作用する構成部品を含んでもよいことを特徴とする高さ調整可能な柱。
【請求項１３】
請求項１２に記載の高さ調整可能な柱において、前記補強材構成部品は、組立構造の下側床面、屋根、または上側床面まで通って伸長してもよいことを特徴とする高さ調整可能な柱。
【請求項１４】
輸送コンテナ組立構造のための高さ調整可能な柱において、
前記柱は、
（ｉ）少なくとも、コンテナ取扱装置により係合可能な係合機構を有する上部、および、対応するスリーブ上のロック手段と係合するように適合される長開口を有する下部を有する上側スリーブ部と、
（ｉｉ）少なくとも、対応するスリーブ上のロック手段と係合するように適合される長開口を有する上部、および、コンテナ取扱装置により係合可能な係合機構を有する下部を有する下側スリーブ部と、
（ｉｉｉ）前記上側スリーブ部の最上部および前記下側スリーブ部の下部に位置し、前記上側および下側スリーブ部のそれぞれの前記係合機構を収容するリフティングポイントと、
（ｉｖ）前記柱が伸長位置にあるとき、所定の位置に組立構造の構成要素を係合および保持する係合手段と、
を有し、
前記上側スリーブ部は、スライドして前記下側部に対して中に置かれるように適合され、
そのため、前記柱が非伸長位置にあるとき、前記上側スリーブ部の実質的な長さは、前記下側スリーブの中でスライドし、前記柱の高さは標準的な輸送コンテナのその高さと比較して低く、
前記柱が前記伸長位置にあるとき、それぞれの前記スリーブ部の前記ロック手段は、前記スリーブ部の対応する前記長開口と係合およびロックし、標準的な輸送コンテナの高さと同じまたはより高い位置で前記柱を支持および保持する、
ことを特徴とする高さ調整可能な柱。
【請求項１５】
請求項１４に記載の高さ調整可能な柱において、前記柱は、スライドして前記下側および上側スリーブ部に対して中に置かれるように適合されるさらなるスリーブ部を有することを特徴とする高さ調整可能な柱。
【請求項１６】
請求項１乃至１５の何れか１項に記載の高さ調整可能な柱において、前記下側スリーブは、組立構造の床面へ係合するおよび取り付けられるように適合される床面係合部を有することを特徴とする高さ調整可能な柱。
【請求項１７】
請求項１乃至１６の何れか１項に記載の高さ調整可能な柱において、前記上側スリーブは、組立構造の屋根または上面へ係合するおよび取り付けられるように適合される屋根または上面係合部を有することを特徴とする高さ調整可能な柱。
【請求項１８】
請求項１乃至１５の何れか１項に記載の柱を利用する拡張可能な輸送コンテナを製造する方法において、
（ｉ）コンテナ底面、および、非拡張のとき梱包時高さに伸長している前記柱を提供するステップと、
（ｉｉ）前記底面に取り付けられ、前記コンテナの前記梱包時高さより少なく伸長する、少なくとも１つの第１の垂直壁部を提供するステップと、
（ｉｉｉ）拡張可能な垂直の柱の上部に少なくとも１つの位置で固定される上面を提供するステップと、
（ｉｖ）前記上面から前記第１の垂直壁部の方へ伸長する少なくとも１つの第２の垂直壁部を提供するステップと、
（ｖ）前記第１の垂直壁部を前記第２の垂直壁部からさらに間隔をあけた拡張位置に柱を伸長するステップと、
を含むことを特徴とする方法。
【発明の詳細な説明】
【技術分野】
【０００１】
本発明は、輸送コンテナ組立構造のための高さ調整可能な柱に関するものである。
【背景技術】
【０００２】
標準的な輸送コンテナを輸送する既存の方法に関する問題は、コンテナ内の全空間を占めない製品の高さおよび輸送費にあり、特に、コンテナが、何らかの調節として使用されることになる場合にそうである。そのような場合、コンテナの内部は多くの場合ほぼ空であるが、コンテナの最終的な居住高さは全体の高さであるため、輸送費は高くなる。
【０００３】
同様に、輸送コンテナの高さより大きい調節を行う必要がある場合、唯一の現実的な選択肢は２つのコンテナを用いることであり、一方の床面をなくして、互いを積み重ねて取り付ける必要がある。輸送のための高さから組立構造として使用するための高さに大きくすることができる輸送コンテナを有することが望まれている。
【０００４】
先行文献
本明細書で引用される、あらゆる特許または特許出願を含むすべての参照は、参照することによって本明細書に組み込まれる。いずれの参照文献も、先行技術を構成するとは認められない。参照文献における議論は、それらの著者が主張するところを述べており、出願人は、引用文献の正確さおよび適切さに異論を唱える権利を留保する。多数の先行技術開示が本明細書で参照され得るが、この参照は、これらの文献のどれについても、ニュージーランドまたは他のあらゆる国において、当該技術分野における技術常識の一部を形成することの許容をなすものではないことが、明らかに理解されるであろう。
【０００５】
公知の技術分野のいくつかの不利益および制約を改善する輸送コンテナ組立構造のための高さ調整可能な柱を提供する、または少なくとも公衆に有用な選択を提供することが、本発明の目的である。
【発明の概要】
【０００６】
第１の態様において、本発明は輸送コンテナ組立構造のための高さ調整可能な柱に存在し、柱は少なくとも２つの協働する部分を有し、そこにおいて、柱の第１の部分は、柱の第２の部分の上にはまり込み、両方の部分はコンテナ取扱装置により係合可能な係合機構を有して、柱がはめ込まれた形態から伸長位置まで伸長でき、はめ込まれた形態のとき、第２の部分の実質的な長さは第１の部分の中にあり、伸長位置にあるとき、第２の部分の実質的な長さは第１の部分から外方に伸長し、柱が伸長位置にあるとき、第１の部分の係合機構は、組立構造の床面を係合および支持するように適合され、柱が伸長位置にあるとき、第２の部分の係合機構は、組立構造の屋根または上側床面のいずれかを係合および支持するように適合され、はめ込まれた形態のとき、柱は、一端で輸送コンテナの底面に、および、他端で輸送コンテナの上面に固定されるように適合され、柱が非伸長位置にあるとき、柱の高さは標準的な輸送コンテナのその高さと比較して低く、伸長位置にあるとき、柱は標準的な輸送コンテナの高さと同じまたはより高い。
【０００７】
第２の態様において、本発明は輸送コンテナ組立構造のための高さ調整可能な柱に存在し、柱は、
（ｉ）コンテナ取扱装置により係合可能な係合機構を有する上部、および、対応するスリーブ上のロック手段と係合するように適合される長開口を有する下部を有する上側スリーブ部と、
（ｉｉ）コンテナ取扱装置により係合可能な係合機構およびロック手段を有する上部、ならびに、コンテナ取扱装置により係合可能な係合機構およびロック用移動止めを有する下部を有する中央スリーブ部と、
（ｉｉｉ）対応するスリーブ上のロック手段と係合するように適合される長開口を有する上部、および、コンテナ取扱装置により係合可能な係合機構を有する下部を有する下側スリーブ部と、
（ｉｖ）上側スリーブ部の最上部および下側スリーブ部の下部に位置し、上側および下側スリーブ部のそれぞれの係合機構を収容するリフティングポイントと、
（ｖ）柱が伸長位置にあるとき、所定の位置に組立構造の構成要素を係合および保持する係合手段と、
を有し、
中央スリーブ部は、スライドして下側および上側スリーブ部に対して中に置かれるように適合され、上側スリーブ部は、スライドして下側スリーブ部に対して中に置かれるように適合され、そのため、柱が非伸長位置にあるとき、中央スリーブ部は、下側および上側スリーブ部の中で完全にスライドして、上側スリーブ部の実質的な長さは、下側スリーブの中でスライドし、その結果、中央スリーブ部の下側係合機構は下側スリーブ部の係合機構と並んで重なり、中央スリーブ部の上側係合機構は上側スリーブ部の係合機構と並んで重なり、柱の高さは標準的な輸送コンテナのその高さと比較して低く、柱が伸長位置にあるとき、中央部のロック手段は、支持部については、下側および上側スリーブ部の対応する長開口と係合およびロックし、標準的な輸送コンテナの高さと同じまたはより高い位置で柱を保持する。
【０００８】
好ましくは、下側スリーブは、組立構造の床面へ係合するおよび取り付けられるように適合される床面係合部を有する。
【０００９】
好ましくは、上側スリーブは、組立構造の屋根または上面へ係合するおよび取り付けられるように適合される屋根または上面係合部を有する。
【００１０】
好ましくは、ロック手段はばね付勢の移動止めである。
【００１１】
好ましくは、係合機構は、柱を非伸長状態から伸長起立状態まで上昇させるために、コンテナ取扱装置を受容および係合するよう適合される開口である。
【００１２】
好ましくは、開口はＩＳＯ規格コンテナ接続点である。
【００１３】
好ましくは、係合手段は、その中に壁パネル、窓枠、または戸枠の端部または端部の一部を受容および保持することが可能なスロット、チャネル、または溝を含む。
【００１４】
好ましくは、係合手段は、その上に屋根部、床面、窓枠、または戸枠の端部または端部の一部を受容および保持することが可能な突出手段を含む。
【００１５】
好ましくは、係合手段は、その上に屋根部、床面、壁パネル、窓枠、または戸枠の端部または端部の一部を受容および保持することが可能なブラケットまたはフランジを含む。
【００１６】
好ましくは、拡張形態において、柱は垂直荷重を支持することが可能なままである。
【００１７】
好ましくは、柱は中空である。
【００１８】
好ましくは、柱が伸長位置にあるとき、組立構造と関連する荷重を支持して、耐えることができる強固で、堅固で、耐久性のある柱を提供するために、中空の柱の内部空間は注入しうる硬化性材料をその中に受容することが可能である。
【００１９】
好ましくは、柱は、硬化性材料の補強材として作用する構成部品を含んでもよい。
【００２０】
好ましくは、補強材構成部品は、組立構造の下側床面、屋根、または上側床面まで通って伸長してもよい。
【００２１】
第３の態様において、本発明は輸送コンテナ組立構造のための高さ調整可能な柱に存在し、柱は、
（ｉ）少なくとも、コンテナ取扱装置により係合可能な係合機構を有する上部、および、対応するスリーブ上のロック手段と係合するように適合される長開口を有する下部を有する上側スリーブ部と、
（ｉｉ）少なくとも、対応するスリーブ上のロック手段と係合するように適合される長開口を有する上部、および、コンテナ取扱装置により係合可能な係合機構を有する下部を有する下側スリーブ部と、
（ｉｉｉ）柱が伸長位置にあるとき、所定の位置に組立構造の構成要素を係合および保持する係合手段と、
を有し、
上側スリーブ部は、スライドして下側部に対して中に置かれるように適合され、そのため、柱が非伸長位置にあるとき、上側スリーブ部の実質的な長さは、下側スリーブの中でスライドし、柱の高さは標準的な輸送コンテナのその高さと比較して低く、柱が伸長位置にあるとき、それぞれのスリーブ部のロック手段は、スリーブ部の対応する長開口と係合およびロックし、標準的な輸送コンテナの高さと同じまたはより高い位置で柱を支持および保持する。
【００２２】
好ましくは、柱は、スライドして下側および上側スリーブ部に対して中に置かれるように適合されるさらなるスリーブ部を有する。
【００２３】
本明細書に記載の第４の態様において、本発明は、上述の態様に記載の柱を利用する拡張可能な輸送コンテナを製造する方法に関するものであり、
（ｉ）コンテナ底面、および、非拡張のとき梱包時高さに伸長している柱を提供するステップと、
（ｉｉ）底面に取り付けられ、コンテナの梱包時高さより少なく伸長する、少なくとも１つの第１の垂直壁部を提供するステップと、
（ｉｉｉ）拡張可能な垂直の柱の上部に少なくとも１つの位置で固定される上面を提供するステップと、
（ｉｖ）上面から第１の垂直壁部の方へ伸長する少なくとも１つの第２の垂直壁部を提供するステップと、
（ｖ）第１の垂直壁部を第２の垂直壁部からさらに間隔をあけた拡張位置に柱を伸長するステップと、
を含む方法である。
【００２４】
ここで本発明を、単なる実施例により、添付図面を参照して説明する。
【図面の簡単な説明】
【００２５】
【図１】図１は、本発明の実施形態による高さ調整可能な輸送コンテナである。
【図２】図２は、拡張位置にある図１のコンテナである。
【図３】図３は、図１のコンテナの変形形態である。
【図４】図４は、本発明の第１の好ましい実施形態によるテレスコープ式拡張垂直コンテナ柱の詳細である。
【図５】図５は、本発明の好ましい実施形態による柱の分解組立図である。
【図６】図６は、非伸長状態の図５に示す柱の側面図である。
【図７】図７は、部分伸長状態の図５に示す柱の側面図である。
【図８】図８は、完全伸長状態の図５に示す柱の側面図である。
【図９】図９は、最終伸長状態の図５に示す柱の側面図である。
【図１０】図１０は、本発明の別の実施形態による柱の斜視図である。
【図１１】図１１は、本発明のさらなる実施形態による柱の斜視図である。
【図１２】図１２は、図１１に示す柱の断面輪郭である。
【図１３】図１３は、図１１に示す柱を組み込む組立構造の図である。
【図１４】図１４は、図１１に示す柱を組み込む組立構造の側面図である。
【図１５】図１５は、図１１に示す柱を組み込む組立構造の上部断面図である。
【図１６】図１６は、本発明のさらなる実施形態による伸長状態の柱の透視図である。
【図１７】図１７は、図１６に示す柱の伸長状態の透視図である。
【図１８】図１８は、図１６に示す柱を組み込む組立構造の図である。
【図１９】図１９は、柱の異なる好ましい断面輪郭図を示す。
【図２０】図２０は、柱の異なる好ましい断面輪郭図を示す。
【図２１】図２１は、柱の異なる好ましい断面輪郭図を示す。
【図２２】図２２は、柱の異なる好ましい断面輪郭図を示す。
【発明を実施するための形態】
【００２６】
以下の説明は、本発明、すなわち高さ調整可能な輸送コンテナの好ましい実施形態に関して、本発明を説明する。これらの好ましい実施形態は単に本発明を例示するだけであるため、本発明はいかなる場合もこれらの好ましい実施形態に限定されず、本発明の要旨を逸脱しない範囲で、変形および変更が可能であることは、容易に明らかである。
【００２７】
図１は、垂直のコーナーレールが各端部でトラッキングおよびリフティングポイント２にまで及ぶ、高さ調整可能な輸送コンテナ１を示す。外面の垂直壁は、部分的なエンドパネル３、部分的なサイドパネル４、上部パネルを形成する切れ目５、ならびに上部サイドの部分的なパネル６にまで及ぶ。
【００２８】
図２は、テレスコープ式レール７が拡張され、元はパネル３の背後にあったパネル１０が所定の位置に引き上げられ、元は窓９とともにコンテナの中に詰められていた窓８が拡張によって形成されたギャップに配置された拡張形態における、図１のコンテナを示す。その他のパネルまたは、たとえばドア、ローラードア、換気装置、テーブルなどのコンテナ内に詰められてもよい装置は、拡張されたコンテナに収めることができる。照明または配管された付属品などのさらに他のものが、発送前に、コンテナに永続的に収められてもよい。
【００２９】
図３は、先のとがった勾配のある屋根１２およびエンドパネル１３の部分を形成する傾けられた上部を有するコンテナ１１を示す。切れ目５はオフセットされ、それぞれ切れ目で異なるパネルを取り付ける。一般的に、コンテナに必要とされる任意のサービス（配管、電気）は、設置時の整備およびテストを容易にするために、継ぎ目に隣接して配置される。図４は、拡張形態におけるテレスコープ式柱の図を示す。トラッキングまたはリフティングのための係合機構７３を有する下側部７１は、部分７１の上を滑り降りるキャップ７２を有する。滑り降りると、係合機構７４は７３にある係合機構と一列に並び、小型化されたコンテナのリフティングが可能となる。
【００３０】
場合によっては、折りたたまれたテレスコープ式棒が、図３のように、コンテナの組立構造の一部より上にあることを意味する小型化されたコンテナが、標準的な輸送コンテナの寸法を依然として厳守していることは重要である。
【００３１】
図４は、拡張形態におけるテレスコープ式棒の図を示す。トラッキングまたはリフティングのための係合機構７３を有する下側部７１は、部分７１の上を滑り降りるキャップ７２を有する。滑り降りると、係合機構７４は７３にある係合機構と一列に並び、小型化されたコンテナのリフティングが可能となる。
【００３２】
図５〜９は、柱の好ましい形態の図を示す。柱１００は、スリーブ１０２、１０４が部品１０１の中にはまり込む、３つのテレスコープ式スリーブ１０２、１０４、１０５を含み、柱１００が非伸長位置にあるとき、標準的な輸送コンテナのその高さと比較した、減少した高さの柱の高さ、および、伸長位置にあるとき、柱１００は標準的な輸送コンテナの高さと同じまたはより高い。上側スリーブ１０５は、昇降および柱の高さの調整を支援するために、フォークリフトトラックなどのコンテナ取扱装置により係合可能な開口１０７１、１０７２を有する上部１０７を有する。上側スリーブ１０５の下部は、中央スリーブ１０４のロック用移動止め１０４４と係合する長開口１０５５を有する。中央スリーブは、柱が非伸長状態にあるとき、フォークリフトトラックなどのコンテナ取扱装置により係合可能な開口１０３１、１０４１も有し、その際、開口１０３１、１０４１は、下側および上側スリーブ１０２、１０５のそれぞれの開口１０１１、１０７１と並んで重なっている。下側スリーブ１０２は、昇降および柱の高さの調整を支援するために、フォークリフトトラックなどのコンテナ取扱装置により係合可能な開口１０１を有する下部１０１を有する。下側スリーブ１０１の上部は、中央スリーブ１０４のそれぞれのロック用移動止め１０４４と係合する長開口１０２５を有する。図６は、中央および上側スリーブ１０４、１０５が下側スリーブ１０２の中にはまり込んだ非伸長状態の柱１００示し、それぞれのコンテナ取扱装置の開口は、このような柱を組み込む輸送コンテナを移動し、持ち上げるためのコンテナ取扱装置をすぐに収容できるように、並んで重なっている。図７は、部分的に伸長した柱１００を示す。図８は、壁パネル、窓、およびドアを組み立てることに好適な完全に伸長した柱１００を示す。図９は、壁パネル、窓、ドアを所定の位置に確実に保持して、密閉するために、図８に示す最大高さの伸長から降ろされた最終的な高さの柱を示す。
【００３３】
図１０は、図５〜９に示す柱と異なる断面輪郭を有する代替的な柱２００を示す。
【００３４】
図１１および図１２は、図１３に示すように一緒に結合できる構造の複数の輸送コンテナでの使用に好適な柱７００を示す。正方形、矩形、またはその他の多角形閉断面輪郭の代わりに、柱７００は開断面輪郭（図１２）を有し、柱７００は３つの隣接する柱（図１４、１５）と接触および協働可能であり、柱７００は一緒に結合し、組立構造の隣接する部分に構造的剛性および構造的一体性を提供することができる。
【００３５】
図１６〜１８は、柱７００が、貯蔵および輸送高さ（図１６）から多層伸長高さ（図１７および図１８）に伸長できる、別の代替的な柱配置を示す。柱は、床面および屋根部１６０１、１６０２だけでなく上側床面１６０２も支持可能であり、したがって、多層組立構造は、このような柱７００を有する輸送コンテナで運搬される構成部材から組み立てることが可能である。
【００３６】
図１９〜２２は、異なる好ましい柱輪郭を示す。図１９に示す輪郭は、２つの部分から成る加工部、外部ランディングを壁パネルに固定可能であり、内面は壁パネルと一列に並び、非常に堅固である。図２０は、まさにほとんどの状況に好適である標準的な既製品の角圧延輪郭である。図２１に示す輪郭は、加工部を有し、配管サービスが張出しの背後の柱を通ることが可能である。図２２に示す輪郭は、図２１の輪郭と同様であるが、２つの部分から成る柱に使用される。
【００３７】
柱が完全に伸長されると、柱は、たとえば、屋根部、床面、壁パネル、窓枠、および戸枠などの組立構成部品を、所定の位置に係合および保持する機能を含むことができる。これらの機能は、別々に、または組み合わせて、これらの機能が、屋根部、床面壁パネル、窓枠、または戸枠の端部または端部の一部を、その中またはその上で受容および保持できるスロット、チャネル、溝、突出部、フランジ、ブラケットなどを含むことができる。
【００３８】
拡張形態において、柱は、依然として垂直荷重を支持できる。
【００３９】
好ましくは、柱は中空である。
【００４０】
柱が伸長位置にあるとき、組立構造と関連する荷重を支持して、耐えることができる強固で、堅固で、耐久性のある柱を提供するために、中空の柱の内部空間は、コンクリートなどの注入しうる硬化性材料をその中に受容することが可能である。柱は、硬化性材料の補強材として作用する構成部品も含んでもよい。補強材構成部品は、組立構造の下側床面、屋根、または上側床面まで通って伸長してもよい。
【００４１】
最低限の居住可能な天井高である２４００ｍｍ、またはいくつかの状況においてはさらに高い天井高のために、柱からできるだけ大きい高さを得ることが可能である。最大の利用可能な柱高さは、サービスの設置も必要とし得る床面部と相まって天井および屋根領域高さのために必要な空間および高さのために、非常に重要である。これらのキャスティングの高さがそれぞれ約１２０ｍｍである現在の標準的なコンテナに存在するＩＳＯキャスティングを除き、上部および底部のＩＳＯキャスティングを結合することによって、２４０ｍｍのさらなる利用可能な高さがあり、３回以上ではないが少なくとも２回重ねられる可能性がある本発明の柱によってこの高さを利用することができる。伸長、重なりなどのために使用できる、さらなる最低４８０ｍｍの柱高さを得ることができる。
【００４２】
本発明の柱を使用することによる重要な利点は、高さ調整可能なコンテナの基礎として標準高さおよび高い立方体コンテナの両方を使用する能力であり、２つ以上のほぼ完成した収納コンテナを同時に運搬できる。
【００４３】
柱は好ましくは鋼から作られ、その中にレーザー加工され得る穴を有する。
【００４４】
柱は、２段、３段、またはさらに多い段の柱にも採用することができる。
【００４５】
利点
ａ）溶接の削減および強度の向上。
ｂ）コストの削減
ｃ）ＩＳＯコーナーキャスティングの除去
ｄ）柱の生産のための、単一の製造システム
ｅ）さらなる高さを追加可能
ｆ）持ち上げられるとき、２つ以上の鋼柱のスリーブがリフティング装置ロックキー／突出部によって捕捉または係合されるため、柱部を一緒にロック可能。
ｇ）コンテナの領域の完全利用が可能
ｈ）最大８種類の柱
ｉ）模倣ＩＳＯブロックの形成
ｊ）２段、３段、またはそれを上回る段数の摺動式およびテレスコープ式スリーブ部による段階的な柱
ｋ）追加の高さのためのはめ込み
ｌ）中空かつコンクリート充填可能
ｍ）リフティングポイントを包含
【００４６】
変形形態
前述は本発明の実施例として与えられているが、当業者にとって明らかであるような、すべてのおよび他の変更形態および変形形態は、本明細書に記載されるような本発明の広い範囲および領域内に収まると見なされることが、当然のことながら認識される。
【符号の説明】
【００４７】
１  コンテナ
２  リフティングポイント
３  部分的なエンドパネル
４  部分的なサイドパネル
５  切れ目
６  部分的な上部サイドパネル
７  テレスコープ式レール
８  窓
９  窓
１０  パネル
１１  コンテナ
１２  屋根
１３  エンドパネル
７１  下側部
７２  キャップ
７３  係合機構
７４  係合機構
１００  柱
１０１  ＩＳＯ規格コンテナ下隅接続点
１０２  下部内側スリーブ
１０３  摺動部スペーサスリーブ
１０４  摺動部中心スリーブ
１０５  上部内側スリーブ
１０６  上部外側スリーブ
１０７  ＩＳＯ規格コンテナ上隅接続点
２００  柱
２０１  ＩＳＯ規格コンテナ下隅接続点
２０２  下部内側スリーブ
２０３  摺動部スペーサスリーブ
２０４  摺動部中心スリーブ
２０５  上部内側スリーブ
２０６  上部外側スリーブ
２０７  ＩＳＯ規格コンテナ上隅接続点
７００  柱
７０１  ＩＳＯ規格コンテナ下隅接続点
７０２  下部内側スリーブ
７０３  摺動部スペーサスリーブ
７０４  摺動部中心スリーブ
７０５  上部内側スリーブ
７０６  上部外側スリーブ
７０７  ＩＳＯ規格コンテナ上隅接続点
７１０  フランジ
７１１  フランジ
７２０  中心柱
８００  組立構造
８０１  床面
８０５  柱
１０１４  輸送締付ボルト用穴（各側面に１つ）
１０２３  下側スリーブ部（圧板またはＲＨＳから作ることが可能）
１０２５  移動止めを位置決めするための長穴
１０３１  ＩＳＯ隅接続点（「下の」位置にあるとき、下側の穴と一列に並ぶ）
１０４１  中に取り付けるための移動止めを位置決めするための穴
１０４３  中心スリーブ部（圧板またはＲＨＳから作ることが可能）
１０４４  「上の」位置にあるときの締付ボルト穴
１０５４  輸送締付ボルト用穴（各側面に１つ）
１０５５  移動止めを位置決めするための長穴
１０７１  ＩＳＯ規格接続穴を有する側板
１０７２  ＩＳＯ規格接続穴を有する上板
１６０１  床面
１６０２  上面
１６０３  屋根
【図１】
2015511910.tif 000003
【図２】
2015511910.tif 000004
【図３】
2015511910.tif 000005
【図４】
2015511910.tif 000006
【図５】
2015511910.tif 000007
【図６】
2015511910.tif 000008
【図７】
2015511910.tif 000009
【図８】
2015511910.tif 000010
【図９】
2015511910.tif 000011
【図１０】
2015511910.tif 000012
【図１１】
2015511910.tif 000013
【図１２】
2015511910.tif 000014
【図１３】
2015511910.tif 000015
【図１４】
2015511910.tif 000016
【図１５】
2015511910.tif 000017
【図１６】
2015511910.tif 000018
【図１７】
2015511910.tif 000019
【図１８】
2015511910.tif 000020
【図１９】
2015511910.tif 000021
【図２０】
2015511910.tif 000022
【図２１】
2015511910.tif 000023
【図２２】
2015511910.tif 000024
【手続補正書】
【提出日】平成26年3月27日(2014.3.27)
【手続補正１】
【補正対象書類名】明細書
【補正対象項目名】全文
【補正方法】変更
【補正の内容】
【発明の詳細な説明】
【技術分野】
【０００１】
本発明は、輸送コンテナ組立構造のための高さ調整可能な柱に関するものである。
【背景技術】
【０００２】
標準的な輸送コンテナを輸送する既存の方法に関する問題は、コンテナ内の全空間を占めない製品の高さおよび輸送費にあり、特に、コンテナが、何らかの調節として使用されることになる場合にそうである。そのような場合、コンテナの内部は多くの場合ほぼ空であるが、コンテナの最終的な居住高さは全体の高さであるため、輸送費は高くなる。
【０００３】
同様に、輸送コンテナの高さより大きい調節を行う必要がある場合、唯一の現実的な選択肢は２つのコンテナを用いることであり、一方の床面をなくして、互いを積み重ねて取り付ける必要がある。輸送のための高さから組立構造として使用するための高さに大きくすることができる輸送コンテナを有することが望まれている。
【０００４】
先行文献
本明細書で引用される、あらゆる特許または特許出願を含むすべての参照は、参照することによって本明細書に組み込まれる。いずれの参照文献も、先行技術を構成するとは認められない。参照文献における議論は、それらの著者が主張するところを述べており、出願人は、引用文献の正確さおよび適切さに異論を唱える権利を留保する。多数の先行技術開示が本明細書で参照され得るが、この参照は、これらの文献のどれについても、ニュージーランドまたは他のあらゆる国において、当該技術分野における技術常識の一部を形成することの許容をなすものではないことが、明らかに理解されるであろう。
【０００５】
公知の技術分野のいくつかの不利益および制約を改善する輸送コンテナ組立構造のための高さ調整可能な柱を提供する、または少なくとも公衆に有用な選択を提供することが、本発明の目的である。
【発明の概要】
【０００６】
第１の態様において、本発明は輸送コンテナ組立構造のための高さ調整可能な柱に存在し、柱は少なくとも２つの協働する部分を有し、そこにおいて、柱の第１の部分は、柱の第２の部分の上にはまり込み、前記部分のそれぞれはコンテナ取扱装置により係合可能な係合機構を有して、柱がはめ込まれた形態から伸長位置まで伸長でき、はめ込まれた形態のとき、第２の部分の実質的な長さは第１の部分の中にあり、伸長位置にあるとき、第２の部分の実質的な長さは第１の部分から外方に伸長し、柱が伸長位置にあるとき、係合機構の一方は、組立構造の床面を係合および支持するように適合されて、柱が伸長位置にあるとき、係合機構の他方は、組立構造の屋根または上側床面のいずれかを係合および支持するように適合され、はめ込まれた形態のとき、柱は、一端で輸送コンテナの底面に、および、他端で輸送コンテナの上面に固定されるように適合され、その結果、柱がはめ込まれた形態にあるとき、柱の高さは標準的な輸送コンテナのその高さと比較して低く、伸長位置にあるとき、柱は標準的な輸送コンテナの高さと同じまたはより高く、第１の部分および第２の部分はそれぞれ、開断面を有する。
【０００７】
好ましくは、第１の部分および／または第２の部分は、実質的に「Ｌ」形の断面を有する。
【０００８】
第２の態様において、本発明は輸送コンテナ組立構造のための高さ調整可能な柱に存在し、柱は、
（ｉ）コンテナ取扱装置により係合可能な係合機構を有する上部、および、対応するスリーブ上のロック手段と係合するように適合される長開口を有する下部を有し、開断面を有する上側スリーブ部と、
（ｉｉ）コンテナ取扱装置により係合可能な係合機構およびロック手段を有する上部、ならびに、コンテナ取扱装置により係合可能な係合機構およびロック用移動止めを有する下部を有し、開断面を有する中央スリーブ部と、
（ｉｉｉ）対応するスリーブ上のロック手段と係合するように適合される長開口を有する上部、および、コンテナ取扱装置により係合可能な係合機構を有する下部を有し、開断面を有する下側スリーブ部と、
（ｉｖ）上側スリーブ部の最上部および／または下側スリーブ部の下部に位置し、リフティングのための上側および下側スリーブ部のそれぞれの係合機構を収容し、上側および下側スリーブ部のそれぞれの係合機構と位置合わせ可能な協働する係合機構による着脱可能な手段を有するリフティングポイントにおいて、柱が組立構造内で調節された高さにあるとき、着脱可能な手段は、柱の内部へのアクセスおよび使用が可能なように除去されるように適合される、リフティングポイントと、
（ｖ）柱が伸長位置にあるとき、所定の位置に組立構造の構成要素を係合および保持する係合手段と、
を有し、
中央スリーブ部は、スライドして下側および上側スリーブ部内に置かれるように適合されて、上側スリーブ部は、スライドして下側スリーブ部内に置かれるように適合され、そのため、柱が非伸長位置にあるとき、中央スリーブ部は、下側および上側スリーブ部の中で完全にスライドして、上側スリーブ部の実質的な長さは、下側スリーブの中でスライドし、その結果、中央スリーブ部の下側係合機構は下側スリーブ部の係合機構と並んで重なり、中央スリーブ部の上側係合機構は上側スリーブ部の係合機構と並んで重なり、柱の高さは標準的な輸送コンテナのその高さと比較して低く、柱が伸長位置にあるとき、中央部のロック手段は、支持については、下側および上側スリーブ部の対応する長開口と係合およびロックし、標準的な輸送コンテナの高さと同じまたはより高い位置で柱を保持する。
【０００９】
好ましくは、下側スリーブは、組立構造の床面へ係合するおよび取り付けられるように適合される床面係合部を有する。
【００１０】
好ましくは、上側スリーブは、組立構造の屋根または上面へ係合するおよび取り付けられるように適合される屋根または上面係合部を有する。
【００１１】
好ましくは、ロック手段はばね付勢の移動止めである。
【００１２】
好ましくは、係合機構は、柱を非伸長状態から伸長起立状態まで上昇させるために、コンテナ取扱装置を受容および係合するよう適合される開口である。
【００１３】
好ましくは、開口はＩＳＯ規格コンテナ接続点である。
【００１４】
好ましくは、係合手段は、その中に壁パネル、窓枠、または戸枠の端部または端部の一部を受容および保持することが可能なスロット、チャネル、または溝を含む。
【００１５】
好ましくは、係合手段は、その上に屋根部、床面、窓枠、または戸枠の端部または端部の一部を受容および保持することが可能な突出手段を含む。
【００１６】
好ましくは、係合手段は、その上に屋根部、床面、壁パネル、窓枠、または戸枠の端部または端部の一部を受容および保持することが可能なブラケットまたはフランジを含む。
【００１７】
好ましくは、拡張形態において、柱は垂直荷重を支持することが可能なままである。
【００１８】
好ましくは、柱は中空である。
【００１９】
好ましくは、柱が伸長位置にあるとき、組立構造と関連する荷重を支持して、耐えることができる強固で、堅固で、耐久性のある柱を提供するために、中空の柱の内部空間は注入しうる硬化性材料をその中に受容することが可能である。
【００２０】
好ましくは、柱は、硬化性材料の補強材として作用する構成部品を含んでもよい。
【００２１】
好ましくは、補強材構成部品は、組立構造の下側床面、屋根、または上側床面まで通って伸長してもよい。
【００２２】
第３の態様において、本発明は輸送コンテナ組立構造のための高さ調整可能な柱に存在し、柱は、
少なくとも、コンテナ取扱装置により係合可能な係合機構を有する上部および対応するスリーブ上のロック手段と係合するように適合される長開口を有する下部を有し、開断面を有する上側スリーブ部と、
少なくとも、対応するスリーブ上のロック手段と係合するように適合される長開口を有する上部およびコンテナ取扱装置により係合可能な係合機構を有する下部を有し、開断面を有する下側スリーブ部と、
上側スリーブ部の最上部および／または下側スリーブ部の下部に位置し、リフティングのための上側および下側スリーブ部のそれぞれの係合機構を収容し、上側および下側スリーブ部のそれぞれの係合機構と位置合わせ可能な協働する係合機構による着脱可能な手段を有するリフティングポイントにおいて、柱が組立構造内で調節された高さにあるとき、着脱可能な手段は、柱の内部へのアクセスおよび使用が可能なように除去されるように適合されるリフティングポイントと、
柱が伸長位置にあるとき、所定の位置に組立構造の構成要素を係合および保持する係合手段と、
を有し、
上側スリーブ部は、スライドして下側部内に置かれるように適合され、そのため、柱が非伸長位置にあるとき、上側スリーブ部の実質的な長さは、下側スリーブの中でスライドし、柱の高さは標準的な輸送コンテナのその高さと比較して低く、柱が伸長位置にあるとき、それぞれスリーブ部のロック手段は、スリーブ部の対応する長開口と係合およびロックし、標準的な輸送コンテナの高さと同じまたはより高い位置で柱を支持および保持する。
【００２３】
第４の態様において、本発明は輸送コンテナ組立構造のための高さ調整可能な柱に存在し、柱は、
（ｉ）コンテナ取扱装置により係合可能な係合機構を有する上部および対応するスリーブのロック手段と係合するように適合される長開口を有する下部を有し、開断面を有する上側スリーブ部と、
（ｉｉ）コンテナ取扱装置により係合可能な係合機構およびロック手段を有する上部ならびにコンテナ取扱装置により係合可能な係合機構およびロック用移動止めを有する下部を有し、開断面を有する中央スリーブ部と、
（ｉｉｉ）対応するスリーブのロック手段と係合するように適合される長開口を有する上部およびコンテナ取扱装置により係合可能な係合機構を有する下部を有し、開断面を有する下側スリーブ部と、
（ｉｖ）上側スリーブ部の最上部および／または下側スリーブ部の下部に位置し、リフティングのための上側および下側スリーブ部のそれぞれの係合機構を収容し、柱が組立構造内で調節された高さにあるとき、柱の内部へのアクセスおよび使用が可能なように適合される着脱可能部を有するリフティングポイントと、
（ｖ）柱が伸長位置にあるとき、所定の位置に組立構造の構成要素を係合および保持する係合手段と、
を有し、
中央スリーブ部は、スライドして下側および上側スリーブ部内に置かれるように適合されて、上側スリーブ部は、スライドして下側スリーブ部内に置かれるように適合され、そのため、柱が非伸長位置にあるとき、中央スリーブ部は、下側および上側スリーブ部の中で完全にスライドして、上側スリーブ部の実質的な長さは、下側スリーブの中でスライドし、その結果、中央スリーブ部の下側係合機構は下側スリーブ部の係合機構と並んで重なり、中央スリーブ部の上側係合機構は上側スリーブ部の係合機構と並んで重なり、柱の高さは標準的な輸送コンテナのその高さと比較して低く、柱が伸長位置にあるとき、中央部のロック手段は、支持については、下側および上側スリーブ部の対応する長開口と係合およびロックし、標準的な輸送コンテナの高さと同じまたはより高い位置で柱を保持する。
【００２４】
第５の態様において、本発明は輸送コンテナ組立構造のための高さ調整可能な柱に存在し、柱は、
少なくとも、コンテナ取扱装置により係合可能な係合機構を有する上部および対応するスリーブ上のロック手段と係合するように適合される長開口を有する下部を有し、開断面を有する上側スリーブ部と、
少なくとも、対応するスリーブ上のロック手段と係合するように適合される長開口を有する上部およびコンテナ取扱装置により係合可能な係合機構を有する下部を有し、開断面を有する下側スリーブ部と、
上側スリーブ部の最上部および／または下側スリーブ部の下部に位置し、リフティングのための上側および下側スリーブ部のそれぞれの係合機構を収容し、柱が組立構造内で調節された高さにあるとき、柱の内部へのアクセスおよび使用が可能なように適合される着脱可能部を有するリフティングポイントと、
柱が伸長位置にあるとき、所定の位置に組立構造の構成要素を係合および保持する係合手段と、
を有し、
上側スリーブ部は、スライドして下側部内に置かれるように適合され、そのため、柱が非伸長位置にあるとき、上側スリーブ部の実質的な長さは、下側スリーブの中でスライドし、柱の高さは標準的な輸送コンテナのその高さと比較して低く、柱が伸長位置にあるとき、それぞれのスリーブ部のロック手段は、スリーブ部の対応する長開口と係合およびロックし、標準的な輸送コンテナの高さと同じまたはより高い位置で柱を支持および保持する。
【００２５】
本明細書に記載の第６の態様において、本発明は、上述の態様に記載の柱を利用する拡張可能な輸送コンテナを製造する方法に関するものであり、
（ｉ）コンテナ底面、および、非拡張のとき梱包時高さに伸長している柱を提供するステップと、
（ｉｉ）底面に取り付けられ、コンテナの梱包時高さより少なく伸長する、少なくとも１つの第１の垂直壁部を提供するステップと、
（ｉｉｉ）拡張可能な垂直の柱の上部に少なくとも１つの位置で固定される上面を提供するステップと、
（ｉｖ）上面から第１の垂直壁部の方へ伸長する少なくとも１つの第２の垂直壁部を提供するステップと、
（ｖ）第１の垂直壁部を第２の垂直壁部からさらに間隔をあけた拡張位置に柱を伸長するステップと、
を含む方法である。
【００２６】
ここで本発明を、単なる実施例により、添付図面を参照して説明する。
【図面の簡単な説明】
【００２７】
【図１】図１は、本発明の実施形態による高さ調整可能な輸送コンテナである。
【図２】図２は、拡張位置にある図１のコンテナである。
【図３】図３は、図１のコンテナの変形形態である。
【図４】図４は、本発明の第１の好ましい実施形態によるテレスコープ式拡張垂直コンテナ柱の詳細である。
【図５】図５は、本発明の好ましい実施形態による柱の分解組立図である。
【図６】図６は、非伸長状態の図５に示す柱の側面図である。
【図７】図７は、部分伸長状態の図５に示す柱の側面図である。
【図８】図８は、完全伸長状態の図５に示す柱の側面図である。
【図９】図９は、最終伸長状態の図５に示す柱の側面図である。
【図１０】図１０は、本発明の別の実施形態による柱の斜視図である。
【図１１】図１１は、本発明のさらなる実施形態による柱の斜視図である。
【図１２】図１２は、図１１に示す柱の断面輪郭である。
【図１３】図１３は、図１１に示す柱を組み込む組立構造の図である。
【図１４】図１４は、図１１に示す柱を組み込む組立構造の側面図である。
【図１５】図１５は、図１１に示す柱を組み込む組立構造の上部断面図である。
【図１６】図１６は、本発明のさらなる実施形態による伸長状態の柱の透視図である。
【図１７】図１７は、図１６に示す柱の伸長状態の透視図である。
【図１８】図１８は、図１６に示す柱を組み込む組立構造の図である。
【図１９】図１９は、柱の異なる好ましい断面輪郭図を示す。
【図２０】図２０は、柱の異なる好ましい断面輪郭図を示す。
【図２１】図２１は、柱の異なる好ましい断面輪郭図を示す。
【図２２】図２２は、柱の異なる好ましい断面輪郭図を示す。
【発明を実施するための形態】
【００２８】
以下の説明は、本発明、すなわち高さ調整可能な輸送コンテナの好ましい実施形態に関して、本発明を説明する。これらの好ましい実施形態は単に本発明を例示するだけであるため、本発明はいかなる場合もこれらの好ましい実施形態に限定されない。本発明の要旨を逸脱しない範囲で、変形および変更が可能であることは、容易に明らかである。
【００２９】
図１は、垂直のコーナーレールが各端部でトラッキングおよびリフティングポイント２にまで及ぶ、高さ調整可能な輸送コンテナ１を示す。外面の垂直壁は、部分的なエンドパネル３、部分的なサイドパネル４、上部パネルを形成する切れ目５、ならびに上部サイドの部分的なパネル６にまで及ぶ。
【００３０】
図２は、テレスコープ式レール７が拡張され、元はパネル３の背後にあったパネル１０が所定の位置に引き上げられ、元は窓９とともにコンテナの中に詰められていた窓８が拡張によって形成されたギャップに配置された拡張形態における、図１のコンテナを示す。その他のパネルまたは、たとえばドア、ローラードア、換気装置、テーブルなどのコンテナ内に詰められてもよい装置は、拡張されたコンテナに収めることができる。照明または配管された付属品などのさらに他のものが、発送前に、コンテナに永続的に収められてもよい。
【００３１】
図３は、先のとがった勾配のある屋根１２およびエンドパネル１３の部分を形成する傾けられた上部を有するコンテナ１１を示す。切れ目５はオフセットされ、それぞれ切れ目で異なるパネルを取り付ける。一般的に、コンテナに必要とされる任意のサービス（配管、電気）は、設置時の整備およびテストを容易にするために、継ぎ目に隣接して配置される。
【００３２】
場合によっては、折りたたまれたテレスコープ式棒が、図３のように、コンテナの組立構造の一部より上にあることを意味する小型化されたコンテナが、標準的な輸送コンテナの寸法を依然として厳守していることは重要である。
【００３３】
図４は、拡張形態におけるテレスコープ式棒の図を示す。トラッキングまたはリフティングのための係合機構７３を有する下側部７１は、部分７１の上を滑り降りるキャップ７２を有する。滑り降りると、係合機構７４は７３にある係合機構と一列に並び、小型化されたコンテナのリフティングが可能となる。
【００３４】
図５〜９は、柱の好ましい形態の図を示す。柱１００は、スリーブ１０２、１０４が部品１０１の中にはまり込む、３つのテレスコープ式スリーブ１０２、１０４、１０５を含み、柱１００が非伸長位置にあるとき、柱の高さは標準的な輸送コンテナの高さと比較して減少し、および、伸長位置にあるとき、柱１００は標準的な輸送コンテナの高さと同じまたはより高い。上側スリーブ１０５は、昇降および柱の高さの調整を支援するために、フォークリフトトラックなどのコンテナ取扱装置により係合可能な開口１０７１、１０７２を有する上部１０７を有する。上側スリーブ１０５の下部は、中央スリーブ１０４のロック用移動止め１０４４と係合する長開口１０５５を有する。中央スリーブは、柱が非伸長状態にあるとき、フォークリフトトラックなどのコンテナ取扱装置により係合可能な開口１０３１、１０４１も有し、その際、開口１０３１、１０４１は、下側および上側スリーブ１０２、１０５のそれぞれの開口１０１１、１０７１と並んで重なっている。下側スリーブ１０２は、昇降および柱の高さの調整を支援するために、フォークリフトトラックなどのコンテナ取扱装置により係合可能な開口１０１を有する下部１０１を有する。下側スリーブ１０１の上部は、中央スリーブ１０４のそれぞれのロック用移動止め１０４４と係合する長開口１０２５を有する。図６は、中央および上側スリーブ１０４、１０５が下側スリーブ１０２の中にはまり込んだ非伸長状態の柱１００示し、それぞれのコンテナ取扱装置の開口は、このような柱を組み込む輸送コンテナを移動し、持ち上げるためのコンテナ取扱装置をすぐに収容できるように、並んで重なっている。図７は、部分的に伸長した柱１００を示す。図８は、壁パネル、窓、およびドアを組み立てることに好適な完全に伸長した柱１００を示す。図９は、壁パネル、窓、ドアを所定の位置に確実に保持して、密閉するために、図８に示す最大高さの伸長から降ろされた最終的な高さの柱を示す。
【００３５】
図１０は、図５〜９に示す柱と異なる断面輪郭を有する代替的な柱２００を示す。
【００３６】
図１１および図１２は、図１３に示すように一緒に結合できる構造の複数の輸送コンテナでの使用に好適な柱７００を示す。正方形、矩形、またはその他の多角形閉断面輪郭の代わりに、柱７００は開断面輪郭（図１２）を有し、柱７００は３つの隣接する柱（図１４、１５）と接触および協働可能であり、柱７００は一緒に結合し、組立構造の隣接する部分に構造的剛性および構造的一体性を提供することができる。
【００３７】
図１６〜１８は、柱７００が、貯蔵および輸送高さ（図１６）から多層伸長高さ（図１７および図１８）に伸長できる、別の代替的な柱配置を示す。柱は、床面および屋根部１６０１、１６０２だけでなく上側床面１６０２も支持可能であり、したがって、多層組立構造は、このような柱７００を有する輸送コンテナで運搬される構成部材から組み立てることが可能である。
【００３８】
図１９〜２２は、異なる好ましい柱輪郭を示す。図１９に示す輪郭は、内面が壁パネルと一列に並び、非常に堅固な２つの部分から成る加工部を可能とする。図２０は、まさにほとんどの状況に好適である標準的な既製品の角圧延輪郭である。図２１に示す輪郭は、配管サービスが張出しの背後の柱を通ることが可能である。図２２に示す輪郭は、図２１の輪郭と同様であるが、２つの部分から成る柱に使用される。
【００３９】
柱が完全に伸長されると、柱は、たとえば、屋根部、床面、壁パネル、窓枠、および戸枠などの組立構成部品を、所定の位置に係合および保持する機能を含むことができる。これらの機能は、別々に、または組み合わせて、これらの機能が、屋根部、床面壁パネル、窓枠、または戸枠の端部または端部の一部を、その中またはその上で受容および保持できるスロット、チャネル、溝、突出部、フランジ、ブラケットなどを含むことができる。
【００４０】
拡張形態において、柱は、依然として垂直荷重を支持できる。
【００４１】
好ましくは、柱は中空である。
【００４２】
柱が伸長位置にあるとき、組立構造と関連する荷重を支持して、耐えることができる強固で、堅固で、耐久性のある柱を提供するために、中空の柱の内部空間は、コンクリートなどの注入しうる硬化性材料をその中に受容することが可能である。柱は、硬化性材料の補強材として作用する構成部品も含んでもよい。補強材構成部品は、組立構造の下側床面、屋根、または上側床面まで通って伸長してもよい。
【００４３】
最低限の居住可能な天井高である２４００ｍｍ、またはいくつかの状況においてはさらに高い天井高のために、柱からできるだけ大きい高さを得ることが可能である。最大の利用可能な柱高さは、サービスの設置も必要とし得る床面部と相まって天井および屋根領域高さのために必要な空間および高さのために、非常に重要である。現在標準的なコンテナに存在するＩＳＯキャスティングは、それぞれ約１２０ｍｍの高さを有する。上部および底部の両方のＩＳＯキャスティングを除くことにより、２４０ｍｍのさらなる利用可能な高さを生成する。３回以上ではないが少なくとも２回重ねられる可能性がある本発明の柱によってこの高さを利用することにより、伸長、重なりなどのために使用できる、さらなる最低４８０ｍｍの柱高さを得ることができる。
【００４４】
本発明の柱を使用することによる重要な利点は、高さ調整可能なコンテナの基礎として標準高さおよび高い立方体コンテナの両方を使用する能力であり、２つ以上のほぼ完成した収納コンテナを同時に運搬できる。
【００４５】
柱は好ましくは鋼から作られ、その中に穴を有し、穴はレーザー加工され得る。
【００４６】
柱は、２段、３段、またはさらに多い段の柱にも採用することができる。
【００４７】
利点
ａ）溶接の削減および強度の向上。
ｂ）コストの削減
ｃ）ＩＳＯコーナーキャスティングの除去
ｄ）柱の生産のための、単一の製造システム
ｅ）さらなる高さを追加可能
ｆ）持ち上げられるとき、２つ以上の鋼柱のスリーブがリフティング装置ロックキー／突出部によって捕捉または係合されるため、柱部を一緒にロック可能。
ｇ）コンテナの領域の完全利用が可能
ｈ）最大８種類の柱
ｉ）模倣ＩＳＯブロックの形成
ｊ）２段、３段、またはそれを上回る段数の摺動式およびテレスコープ式スリーブ部による段階的な柱
ｋ）追加の高さのためのはめ込み
ｌ）中空かつコンクリート充填可能
ｍ）リフティングポイントを包含
【００４８】
変形形態
前述は本発明の実施例として与えられているが、当業者にとって明らかであるような、すべてのおよび他の変更形態および変形形態は、本明細書に記載されるような本発明の広い範囲および領域内に収まると見なされることが、当然のことながら認識される。
【符号の説明】
【００４９】
１  コンテナ
２  リフティングポイント
３  部分的なエンドパネル
４  部分的なサイドパネル
５  切れ目
６  部分的な上部サイドパネル
７  テレスコープ式レール
８  窓
９  窓
１０  パネル
１１  コンテナ
１２  屋根
１３  エンドパネル
７１  下側部
７２  キャップ
７３  係合機構
７４  係合機構
１００  柱
１０１  ＩＳＯ規格コンテナ下隅接続点
１０２  下部内側スリーブ
１０３  摺動部スペーサスリーブ
１０４  摺動部中心スリーブ
１０５  上部内側スリーブ
１０６  上部外側スリーブ
１０７  ＩＳＯ規格コンテナ上隅接続点
２００  柱
２０１  ＩＳＯ規格コンテナ下隅接続点
２０２  下部内側スリーブ
２０３  摺動部スペーサスリーブ
２０４  摺動部中心スリーブ
２０５  上部内側スリーブ
２０６  上部外側スリーブ
２０７  ＩＳＯ規格コンテナ上隅接続点
７００  柱
７０１  ＩＳＯ規格コンテナ下隅接続点
７０２  下部内側スリーブ
７０３  摺動部スペーサスリーブ
７０４  摺動部中心スリーブ
７０５  上部内側スリーブ
７０６  上部外側スリーブ
７０７  ＩＳＯ規格コンテナ上隅接続点
７１０  フランジ
７１１  フランジ
７２０  中心柱
８００  組立構造
８０１  床面
８０５  柱
１０１４  輸送締付ボルト用穴（各側面に１つ）
１０２３  下側スリーブ部（圧板またはＲＨＳから作ることが可能）
１０２５  移動止めを位置決めするための長穴
１０３１  ＩＳＯ隅接続点（「下の」位置にあるとき、下側の穴と一列に並ぶ）
１０４１  中に取り付けるための移動止めを位置決めするための穴
１０４３  中心スリーブ部（圧板またはＲＨＳから作ることが可能）
１０４４  「上の」位置にあるときの締付ボルト穴
１０５４  輸送締付ボルト用穴（各側面に１つ）
１０５５  移動止めを位置決めするための長穴
１０７１  ＩＳＯ規格接続穴を有する側板
１０７２  ＩＳＯ規格接続穴を有する上板
１６０１  床面
１６０２  上面
１６０３  屋根
【手続補正２】
【補正対象書類名】特許請求の範囲
【補正対象項目名】全文
【補正方法】変更
【補正の内容】
【特許請求の範囲】
【請求項１】
輸送コンテナ組立構造のための高さ調整可能な柱において、
前記柱は、
（ｉ）コンテナ取扱装置により係合可能な係合機構を有する上部および対応するスリーブ上のロック手段と係合するように適合される長開口を有する下部を有し、開断面を有する上側スリーブ部と、
（ｉｉ）コンテナ取扱装置により係合可能な係合機構およびロック手段を有する上部ならびにコンテナ取扱装置により係合可能な係合機構およびロック用移動止めを有する下部を有し、開断面を有する中央スリーブ部と、
（ｉｉｉ）対応するスリーブ上のロック手段と係合するように適合される長開口を有する上部およびコンテナ取扱装置により係合可能な係合機構を有する下部を有し、開断面を有する下側スリーブ部と、
（ｉｖ）前記上側スリーブ部の最上部および／または前記下側スリーブ部の下部に位置し、リフティングのための前記上側および下側スリーブ部のそれぞれの前記係合機構を収容し、前記上側および下側スリーブ部のそれぞれの前記係合機構と位置合わせ可能な協働する係合機構による着脱可能な手段を有するリフティングポイントであって、前記柱が前記組立構造内で調節された高さにあるとき、前記着脱可能な手段は、前記柱の内部へのアクセスおよび使用が可能なように除去されるように適合される前記リフティングポイントと、
（ｖ）前記柱が伸長位置にあるとき、所定の位置に組立構造の構成要素を係合および保持する係合手段と、
を有し、
前記中央スリーブ部は、スライドして前記下側および上側スリーブ部内に置かれるように適合されて、前記上側スリーブ部は、スライドして前記下側スリーブ部内に置かれるように適合され、
そのため、前記柱が非伸長位置にあるとき、前記中央スリーブ部は前記下側および上側スリーブ部の中で完全にスライドして、前記上側スリーブ部の実質的な長さは前記下側スリーブの中でスライドし、
その結果、前記中央スリーブ部の前記下側係合機構は前記下側スリーブ部の前記係合機構と並んで重なり、前記中央スリーブ部の前記上側係合機構は前記上側スリーブ部の前記係合機構と並んで重なり、
前記柱の高さは標準的な輸送コンテナの高さと比較して低く、
前記柱が前記伸長位置にあるとき、前記中央部の前記ロック手段は、支持については、前記下側および上側スリーブ部の対応する前記長開口と係合およびロックし、標準的な輸送コンテナの高さと同じまたはより高い位置で前記柱を保持する、
ことを特徴とする高さ調整可能な柱。
【請求項２】
請求項１に記載の高さ調整可能な柱において、前記スリーブ部の第１の部分は、実質的に「Ｌ」形の断面を有することを特徴とする高さ調整可能な柱。
【請求項３】
請求項１または２に記載の高さ調整可能な柱において、前記スリーブ部の第２の部分は、実質的に「Ｌ」形の断面を有することを特徴とする高さ調整可能な柱。
【請求項４】
請求項３に記載の高さ調整可能な柱において、前記ロック手段はばね付勢の移動止めであることを特徴とする高さ調整可能な柱。
【請求項５】
請求項４に記載の高さ調整可能な柱において、前記係合機構は、前記柱を非伸長状態から伸長起立状態まで上昇させるために、前記コンテナ取扱装置を受容および係合するよう適合される開口であることを特徴とする高さ調整可能な柱。
【請求項６】
請求項５に記載の高さ調整可能な柱において、前記開口はＩＳＯ規格コンテナ接続点であることを特徴とする高さ調整可能な柱。
【請求項７】
請求項４乃至６の何れか１項に記載の高さ調整可能な柱において、前記係合手段は、その中に壁パネル、窓枠、または戸枠の、端部または端部の一部を受容および保持することが可能なスロット、チャネル、または溝を含むことを特徴とする高さ調整可能な柱。
【請求項８】
請求項４乃至６の何れか１項に記載の高さ調整可能な柱において、前記係合手段は、その上に屋根部、床面、窓枠、または戸枠の、端部または端部の一部を受容および保持することが可能な突出手段を含むことを特徴とする高さ調整可能な柱。
【請求項９】
請求項４乃至６の何れか１項に記載の高さ調整可能な柱において、前記係合手段は、その上に屋根部、床面、壁パネル、窓枠、または戸枠の、端部または端部の一部を受容および保持することが可能なブラケットまたはフランジを含むことを特徴とする高さ調整可能な柱。
【請求項１０】
請求項４乃至９の何れか１項に記載の高さ調整可能な柱において、拡張形態において、前記柱が垂直荷重を支持することが可能なままであることを特徴とする高さ調整可能な柱。
【請求項１１】
請求項１乃至１０の何れか１項に記載の高さ調整可能な柱において、前記柱は中空であることを特徴とする高さ調整可能な柱。
【請求項１２】
請求項１１に記載の高さ調整可能な柱において、前記柱が前記伸長位置にあるとき、組立構造と関連する荷重を支持して、耐えることができる強固で、堅固で、耐久性のある柱を提供するために、前記中空の柱の内部空間は注入しうる硬化性材料をその中に受容することが可能であることを特徴とする高さ調整可能な柱。
【請求項１３】
請求項１２に記載の高さ調整可能な柱において、前記柱は、前記硬化性材料の補強材として作用する構成部品を含んでもよいことを特徴とする高さ調整可能な柱。
【請求項１４】
請求項１３に記載の高さ調整可能な柱において、前記補強材構成部品は、組立構造の下側床面、屋根、または上側床面まで通って伸長してもよいことを特徴とする高さ調整可能な柱。
【請求項１５】
輸送コンテナ組立構造のための高さ調整可能な柱において、
前記柱は、
少なくとも、コンテナ取扱装置により係合可能な係合機構を有する上部および対応するスリーブ上のロック手段と係合するように適合される長開口を有する下部を有し、開断面を有する上側スリーブ部と、
少なくとも、対応するスリーブ上のロック手段と係合するように適合される長開口を有する上部およびコンテナ取扱装置により係合可能な係合機構を有する下部を有し、開断面を有する下側スリーブ部と、
前記上側スリーブ部の最上部および／または前記下側スリーブ部の下部に位置し、リフティングのための前記上側および下側スリーブ部のそれぞれの前記係合機構を収容し、前記上側および下側スリーブ部のそれぞれの前記係合機構と位置合わせ可能な協働する係合機構による着脱可能な手段を有するリフティングポイントであって、前記柱が前記組立構造内で調節された高さにあるとき、前記着脱可能な手段は、前記柱の内部へのアクセスおよび使用が可能なように除去されるように適合される前記リフティングポイントと、
前記柱が伸長位置にあるとき、所定の位置に組立構造の構成要素を係合および保持する係合手段と
を有し、
前記上側スリーブ部は、スライドして前記下側部内に置かれるように適合され、
そのため、前記柱が非伸長位置にあるとき、前記上側スリーブ部の実質的な長さは、前記下側スリーブの中でスライドし、前記柱の高さは標準的な輸送コンテナの高さと比較して低く、
前記柱が前記伸長位置にあるとき、それぞれの前記スリーブ部の前記ロック手段は、前記スリーブ部の対応する前記長開口と係合およびロックし、標準的な輸送コンテナの高さと同じまたはより高い位置で前記柱を支持および保持する、
ことを特徴とする高さ調整可能な柱。
【請求項１６】
請求項１５に記載の高さ調整可能な柱において、前記柱は、スライドして前記下側および上側スリーブ部内に置かれるように適合されるさらなるスリーブ部を有することを特徴とする高さ調整可能な柱。
【請求項１７】
輸送コンテナ組立構造のための高さ調整可能な柱であって、
前記柱は、
（ｉ）コンテナ取扱装置により係合可能な係合機構を有する上部および対応するスリーブ上のロック手段と係合するように適合される長開口を有する下部を有し、開断面を有する上側スリーブ部と、
（ｉｉ）コンテナ取扱装置により係合可能な係合機構およびロック手段を有する上部ならびにコンテナ取扱装置により係合可能な係合機構およびロック用移動止めを有する下部を有し、開断面を有する中央スリーブ部と、
（ｉｉｉ）対応するスリーブ上のロック手段と係合するように適合される長開口を有する上部およびコンテナ取扱装置により係合可能な係合機構を有する下部を有し、開断面を有する下側スリーブ部と、
（ｉｖ）前記上側スリーブ部の最上部および／または前記下側スリーブ部の下部に位置し、リフティングのための前記上側および下側スリーブ部のそれぞれの前記係合機構を収容し、前記柱が前記組立構造内で調節された高さにあるとき、前記柱の内部へのアクセスおよび使用が可能なように適合される着脱可能部を有するリフティングポイントと、
（ｖ）前記柱が伸長位置にあるとき、所定の位置に組立構造の構成要素を係合および保持する係合手段と、
を有し、
前記中央スリーブ部は、スライドして前記下側および上側スリーブ部内に置かれるように適合されて、前記上側スリーブ部は、スライドして前記下側スリーブ部内に置かれるように適合され、
そのため、前記柱が非伸長位置にあるとき、前記中央スリーブ部は前記下側および上側スリーブ部の中で完全にスライドして、前記上側スリーブ部の実質的な長さは前記下側スリーブの中でスライドし、
その結果、前記中央スリーブ部の前記下側係合機構は前記下側スリーブ部の前記係合機構と並んで重なり、前記中央スリーブ部の前記上側係合機構は前記上側スリーブ部の前記係合機構と並んで重なり、
前記柱の高さは標準的な輸送コンテナの高さと比較して低く、
前記柱が前記伸長位置にあるとき、前記中央部の前記ロック手段は、支持については、前記下側および上側スリーブ部の対応する前記長開口と係合およびロックし、標準的な輸送コンテナの高さと同じまたはより高い位置で前記柱を保持する、
ことを特徴とする高さ調整可能な柱。
【請求項１８】
輸送コンテナ組立構造のための高さ調整可能な柱であって、
前記柱は、
少なくとも、コンテナ取扱装置により係合可能な係合機構を有する上部および対応するスリーブ上のロック手段と係合するように適合される長開口を有する下部を有し、開断面を有する上側スリーブ部と、
少なくとも、対応するスリーブ上のロック手段と係合するように適合される長開口を有する上部およびコンテナ取扱装置により係合可能な係合機構を有する下部を有し、開断面を有する下側スリーブ部と、
前記上側スリーブ部の最上部および／または前記下側スリーブ部の下部に位置し、リフティングのための前記上側および下側スリーブ部のそれぞれの前記係合機構を収容し、前記柱が前記組立構造内で調節された高さにあるとき、前記柱の内部へのアクセスおよび使用が可能なように適合される着脱可能部を有するリフティングポイントと、
前記柱が伸長位置にあるとき、所定の位置に組立構造の構成要素を係合および保持する係合手段と、
を有し、
前記上側スリーブ部は、スライドして前記下側部内に置かれるように適合され、
そのため、前記柱が非伸長位置にあるとき、前記上側スリーブ部の実質的な長さは、前記下側スリーブの中でスライドし、前記柱の高さは標準的な輸送コンテナの高さと比較して低く、
前記柱が前記伸長位置にあるとき、それぞれの前記スリーブ部の前記ロック手段は、前記スリーブ部の対応する前記長開口と係合およびロックし、標準的な輸送コンテナの高さと同じまたはより高い位置で前記柱を支持および保持する、
ことを特徴とする高さ調整可能な柱。
【請求項１９】
請求項４乃至１８の何れか１項に記載の高さ調整可能な柱において、前記下側スリーブは、組立構造の床面へ係合するおよび取り付けられるように適合される床面係合部を有することを特徴とする高さ調整可能な柱。
【請求項２０】
請求項４乃至１９の何れか１項に記載の高さ調整可能な柱において、前記上側スリーブは、組立構造の屋根または上面へ係合するおよび取り付けられるように適合される屋根または上面係合部を有することを特徴とする高さ調整可能な柱。
【請求項２１】
請求項１乃至１８の何れか１項に記載の柱を利用する拡張可能な輸送コンテナを製造する方法において、
（ｉ）コンテナ底面、および、非拡張のとき梱包時高さに伸長している前記柱を提供するステップと、
（ｉｉ）前記底面に取り付けられ、前記コンテナの前記梱包時高さより少なく伸長する、少なくとも１つの第１の垂直壁部を提供するステップと、
（ｉｉｉ）拡張可能な垂直の柱の上部に少なくとも１つの位置で固定される上面を提供するステップと、
（ｉｖ）前記上面から前記第１の垂直壁部の方へ伸長する少なくとも１つの第２の垂直壁部を提供するステップと、
（ｖ）前記第１の垂直壁部を前記第２の垂直壁部からさらに間隔をあけた拡張位置に柱を伸長するステップと、
を含むことを特徴とする方法。
【国際調査報告】
2015511910.tif 000025
2015511910.tif 000026
2015511910.tif 000027
2015511910.tif 000028
2015511910.tif 000029